(57)【要約】【課題】従来の上半身起き上がり具はベッドにしか使えないので、ベッドや布団や場所を問わず、一人で上半身を起こすことができる上半身起き上がり補助ズボンを提供する。【解決手段】ズボン２の裾口３に掛け渡すように足掛け紐５を取り付けるとともに、その上部に所定の長さの引っ張り紐６の両端部を、ズボン２の前側上部に取り付けた上半身起き上がり補助ズボン１とする。【選択図】図１
2007327165.tif 000002
【特許請求の範囲】
【請求項１】
寝ている状態から一人で上半身を起こせるズボンであって、ズボンの裾口に掛け渡すように足掛け紐を取り付けるとともに、その上部に所定の長さの引っ張り紐を手でつかめるように、ズボンの前側又は側面部に取り付けた構成を特徴とする上半身起き上がり補助機能付きズボン。
【請求項２】
上記する引っ張り紐を、縦向きに取り付けてなる請求項１に記載する上半身起き上がり補助機能付きズボン。
【請求項３】
上記する引っ張り紐を、横向きに取り付けてなる請求項１に記載する上半身起き上がり補助機能付きズボン。
【請求項４】
上記する引っ張り紐が、裾口に取り付けた連結補強紐まで延長して取り付けた請求項１又は請求項２に記載する上半身起き上がり補助機能付きズボン。
【請求項５】
上記する引っ張り紐が、ズボンの裾口に取り付けた足掛け紐の両端部から上方に延長させた紐を連結補強紐とし、その連結補強紐の左右に掛け渡すように引っ張り紐を取り付けた請求項３に記載する上半身起き上がり補助機能付きズボン。
【発明の詳細な説明】
【技術分野】
【０００１】  本発明は、片手を怪我をした一般の人や寝たきり生活者であっても、人の手を借りずに寝た状態から上半身を容易に起こすことができる起き上がり補助ズボンに関する。
【背景技術】
【０００２】  従来、一般の人が片手を怪我をした場合でも一人では容易に上半身を起こすのは難しいし、寝たきり生活者などの場合は両手がしっかりしていても一人では上半身を起せないため、上半身を起こす際は周りの人や看護師の手を借りて起きている。また、ベッドの側部に手摺が設けられている時は、大変でもその手摺につかまりながら起きる場合もある。さらに、ベッドの上半身部分を手動や電動により上方に持ち上げることで、上半身を起こせるベッドがある。【０００３】  また、ベッドの足元側の手摺にひも付設部を設け、起き上がる際にそのひも付設部に取り付けた引きひも体を掴んで引っ張ることで上半身を起こせるベッド用起き上がり補助具の技術がある。（例えば、特許文献１参照）
【特許文献１】特開２００１−７０３６０公報
【発明の開示】
【発明が解決しようとする課題】
【０００４】  上記のように片手や身体が不自由な人が上半身を起こしたい時に周りに人が居る時はよいが、居ない時は思うようにならないので不便であり、ストレスを招く要因にもなる。またベッドの側部に備えた手摺をつかんで身を起こす際は、怪我などで入院した力のある男性の場合は片手でも身を起こせるが、寝たきり高齢者などは力が弱いことと、体が傾くようになるので思うように上半身を起こせない。加えて、手動又は電動でベッドの背部が持ち上がるタイプにおいては、手動の場合は第三者が行う必要があるので一人では難しかっく、他方、電動の場合は手元のリモコン操作で身を起こせるので便利であるが、このタイプは高額であるためだれでも気軽に使えるものではないことはもとより、手動又は電動タイプいずれも敷き布団や敷きベッドには使えないなどの不便や欠点があった。【０００５】  また、特開２００１−７０３６０公報に開示される技術は、ベッドの足元側部の略中央部に取り付ける取付体を水平回動自在に構成し、その取付体の水平回動部位に、ベッドに伏した人が起き上がるに際して手元に引く引きひも体を有するひも付設部を設け、その引きひも体を引動した際は引動方向に前記取付体の水平回動する部位が回動するようにしたベッド用起き上がり補助具であるが、この技術は足もと側に手摺を備えたタイプのベッドに取り付けて使用するものであるため、敷き布団や敷きベッドには使えないうえ、複雑な構成であるので故障要因を持つとともにコスト高になるなどの不便や欠点がある上半身を起こせるベッド用起き上がり補助具の技術である。
【課題を解決するための手段】
【０００６】  本発明は、上記するような従来の技術の不便や欠点を解消するために、請求項１においては、ズボンの裾口に掛け渡すように足掛け紐を取り付けるとともに、その上部に所定の長さの引っ張り紐を手でつかめるようにズボンの前側に取り付けることで、起きる際は前記引っ張り紐をつかんで引っ張ることで容易に起き上がれるズボンとする。【０００７】  請求項２においては、上記する引っ張り紐を縦向きに取り付けることで、つかみ易い引っ張り紐とする。【０００８】  請求項３においては、上記する引っ張り紐を横向きに取り付けることで、手に力を入れやすい引っ張り紐とする。【０００９】  請求項４においては、上記する引っ張り紐を、裾口に取り付けた連結補強紐まで延長して取り付けることで、ズボンが薄い布地でも破れたりしないで使える丈夫な引っ張り紐とする。【００１０】  請求項５においては、上記する引っ張り紐が、ズボンの裾口に取り付けた足掛け紐の両端部から上方に延長させた紐を連結補強紐とし、その二本の連結補強紐の左右に掛け渡すように引っ張り紐を取り付けることで、引っ張り紐が補強されるとともに力を入れやすい引っ張り紐を形成する。
【発明の効果】
【００１１】  本発明によるズボンは、通常寝る際に着用するパジャマやジャ−ジの裾口に足掛け紐を取り付けるとともに、ズボンの前側の膝下くらいから腰近くの間に手で握ることができる引っ張り紐を取り付けたズボンであるため、寝た状態から自身で上半身を起こす時は、両足に力を入れまま、前記した引っ張り紐を両手又は片手で持って手前にたぐり寄せるように引っ張ると、図３に示すように上半身を楽に起こすことができるため、人の手を借りずに一人で上半身を引きを起こすことができるうえ、寝たきり生活者にとっては手の力や腹筋力を高められるなど、リハビリ効果も得られるユニ−クなズボンである。【００１２】  さらに、実施例１のズボンは裾口に足掛け紐を、両足のズボンの上部位の前部には引っ張り紐を取り付けたきわめてシンプルであるの安価に提供できる。また実施例２タイプは、裾口に設けた連結補強紐まで引っ張り紐の下部が延長して取り付けられているので、薄地のパジャマでも破れたりしないで安心して使えるものである。加えて、実施例３に示すタイプは、引っ張り紐が横向きであるのでつかみ易いことはもとより、力を入れやすくスベリにくい引っ張り紐を形成する起き上がり補助ズボンを提供する。【００１３】  以上のように人の手を借りることなくいつでも好きな時に身を起こせるので人に気を使う心配もなく、また一般の敷き布団や敷きベッドでも使えるとともに、高価な起き上がり装置を付けたベッドも必要としないなど、従来には見られないユニ−クにして機能的な起き上がり補助ズボンを提供できる。さらにトレパンなど採用すれば、腹筋力アップの運動着としても使えるものである。
【発明を実施するための最良の形態】
【００１４】  片手を怪我をしたり寝たきり生活者が寝ている状態から容易に上半身を起こすことができるズボンとするために、裾口に足裏に掛け渡せる足掛け紐を取り付けたズボンの前側上部に、手でつかめる引っ張り紐を取り付けたズボンとする。
【実施例１】
【００１５】  本発明による実施例１の起き上がり補助ズボンを、図１に示す斜視図と図２の横向きにした状態の右側面図、図３に示す起き上がり状態を示す参考図で説明する。実施例１に示す起き上がり補助ズボン１は、就寝用に着用されるパジャマやジャ−ジなどのズボン２の二つの裾口３，３に、幅約１５〜３０ｍｍ程度で、且つ、柔軟で伸びることがない丈夫な平紐や紐を（以下、紐と称する）、前記したズボン２の裾口３の左右に掛け渡すように縫い付け部４をもって足掛け紐５を取り付けるとともに、ズボン２の前側の膝下から腰近くまで届く長さの紐の両端部を、前記するズボン２の膝下から腰寄り部位に縫い付け部４，４をもって引っ張り紐６取り付けた起き上がり補助ズボン１を構成する。【００１６】  実施例１の起き上がり補助ズボン１は、ズボン２の裾口３の左右に紐を掛け渡すようにして足掛け紐５を取り付けるとともに、その上部の中ほど上部に引っ張り紐６を取り付けたズボン２であるので、これを着用して上半身を起こす際は、図３に示すように足をつっ張るようにして後に、両手又は片手でズボン２の前部に取り付けた引っ張り紐６をつかんで手前に引くと、上半身は臀部を支点として容易に起き上がれるズボン２となる。
【実施例２】
【００１７】  実施例２の起き上がり補助ズボンを図４に示す斜視図と図５の横向きにした右側面図で説明する。実施例２に示す起き上がり補助ズボン１は、ズボン２の裾口３の前側に半円状に紐を縫い付けてなる連結補強紐７を取り付けるとともに、その連結補強紐７の左右端部、つまり裾口３の左右に掛け渡すように縫い付け部４をもって足掛け紐５を形成する。さらに前記したズボン２の裾口３から腰の下部に至る長さの引っ張り紐６の一方を、前記した裾口３の連結補強紐７の前側中央から膝下部位まで縫い付けるとともに、その延長端部を、腰寄り部位に縫い付け部４をもって取り付けた起き上がり補助ズボン１を構成する。【００１８】  実施例２の起き上がり補助ズボン１は、基本構成は前記実施例１と同じであるが、足掛け紐５を取り付けた裾口３には連結補強紐７を取り付け、その連結補強紐７に、引っ張り紐６の下部を延長して取り付けているので、引っ張り紐６を手前に引いた際は、連結補強紐７を経て足掛け紐５に連結されているので、パジャマのように薄手の布地でも、強く引っ張ってズボン２が破れたりする心配の無い起き上がり補助ズボン１となる。
【実施例３】
【００１９】  実施例３の起き上がり補助ズボンを図６に示す斜視図と図７の横向きにした状態の右側面で説明する。実施例２における起き上がり補助ズボン１は、ズボン２の裾口３の左右に紐を掛け渡した両端部を縫い付けて足掛け紐５を形成するとともに、その足掛け紐５の両端部から延長して膝上部位に至る長さの紐をズボン２の左右側部に縫い付け部４をもって連結補強紐７Ａ，７Ａとし、その左右の連結補強紐７Ａ，７Ａの上端部と膝下部位の二か所に、ズボン２の前側を経て二本の引っ張り紐６Ａ，６Ａを連結補強紐７Ａ，７Ａに掛け渡すように縫い付けてなる起き上がり補助ズボン１を構成する。【００２０】  実施例３の起き上がり補助ズボン１は、足掛け紐５は前記した各実施例と同じであるが、その両端部が延長してズボン２の両側部の中ほどまで取り付けて連結補強紐７Ａとするとともに、その前側には、前記する二本の連結補強紐７Ａ，７Ａに掛け渡すように引っ張り紐６Ａ，６Ａを二本連結しているので、上半身を起こす際は引っ張り紐６Ａが横向きであるのでつかみやすく力も入れやすい引っ張り紐６Ａを形成する。尚、引っ張り紐６Ａは二段に取り付けているが一本でもよく、また二本以上でも差し支えない。【００２１】  本発明の起き上がり補助ズボンに１おいて、実施例１及び実施例２の引っ張り紐６は前側に取り付けるとしているが、ズボン２の前側に位置する生地全部を前側とする。また実施例２の裾口３の連結補強紐７は、ズボン２の裾口３の前側のみであるが、裾口３の全周囲に取り付けてもよい。さらに実施例３においては、ズボン２の左右に足掛け紐５から延長する紐を連結補強紐７Ａとしているが、これを無くしてズボン２の両側に直接引っ張り紐６Ａを縫い付けても構わない。また実施例２及び３に示す連結補強紐７，７Ａは全部ズボン２に縫い付けているが、足掛け紐５や引っ張り紐６，６Ａと重なる部分のみズボン２に縫い付けてもよく、いずれも特に限定されるものではない。
【産業上の利用可能性】
【００２２】  本発明によるズボンは、片手を怪我した人や寝たきり生活者が一人でも上半身を起き上がれるズボンであるが、スポ−ツ時に着用するトレパンや一般のズボンに採用することで、腹筋力を高められるトレ−ニングズボンとしても適用できる。
【図面の簡単な説明】
【００２３】
【図１】本発明の実施例１の起き上がり補助ズボンを示す斜視図である。
【図２】実施例１の起き上がり補助ズボンを横向きにした状態の右側面図である。
【図３】実施例１の起き上がり補助ズボンを着用した起き上がり状態参考図である。
【図４】実施例２の起き上がり補助ズボンを示す斜視図である。
【図５】実施例２の起き上がり補助ズボンを横向きにした状態の右側面図である。
【図６】実施例３の起き上がり補助ズボンを示す斜視図である。
【図７】実施例３の起き上がり補助ズボンを横向きにした状態の右側面図である。
【符号の説明】
【００２４】１  起き上がり補助ズボン
２  ズボン
３  裾口
４  縫い付け部
５  足掛け紐
６  引っ張り紐
６Ａ  引っ張り紐
７  連結補強紐
７Ａ  連結補強紐
【図１】
2007327165.tif 000003
【図２】
2007327165.tif 000004
【図３】
2007327165.tif 000005
【図４】
2007327165.tif 000006
【図５】
2007327165.tif 000007
【図６】
2007327165.tif 000008
【図７】
2007327165.tif 000009